(57)【特許請求の範囲】
【請求項１】
内部に貯蔵室が形成された断熱箱体と、この断熱箱体の側面に設けられた表示装置とを備えた貯蔵庫において、表示装置は、側面に取り付けられて側面との間に間隔を存し、一部を切り欠いた前板を有した保持具と、この保持具に支持され、８角形であるとともに相対向した２組の長辺がこれらの長辺の間に位置して相対向した２組の短辺より長く形成された表示板と、この表示板の中央に設けられ、表示板表面から突出したつまみとを備え、表示板の表面は各長辺に対応して複数に区分され、それぞれの区分には貯蔵庫内の複数の状態が表され、保持具には、つまみが突出するつまみ用切欠きが形成され、下部には短辺を挟んで二つの長辺により形成される角度とほぼ同様な角度をなし各長辺を支持する長辺支持部が形成され、且つ保持具上部の前板には、長辺支持部が長辺を支持している状態にて表示板に表された複数の状態のうち何れか一つの状態を表示させる切欠きがつまみ用切欠きと連続して形成されていることを特徴とする貯蔵庫。
【請求項２】
つまみ用切欠きの上部につまみの上方への移動を阻止する係止部が形成されていることを特徴とする請求項１に記載の貯蔵庫。
【請求項３】
保持具の長辺支持部の最下部には、保持具内と外部とを連通する切欠きが形成されていることを特徴とする請求項１に記載の貯蔵庫。
【発明の詳細な説明】
【０００１】
【産業上の利用分野】
本発明は可搬式の断熱貯蔵庫或いはプレハブ貯蔵庫等の貯蔵庫に関し、特に表示装置を備えた貯蔵庫に関する。
【０００２】
【従来の技術】
例えば特開平５−２１５４５４号公報には、内部に貯蔵室を形成した低温庫が開示されている。そして、この低温庫は、一般に貯蔵庫内の温度を例えば冷凍貯蔵用（チルド）の温度帯或いは冷蔵貯蔵用の温度帯に変更可能である。また、前記公報の第３図には低温庫の正面図が開示され、低温庫の正面例えば断熱扉の庫外側の面には表示装置が取り付けられている。この表示装置は、第３図にて把手の近くに記載されている矩形のものであり、低温庫内の状態、即ち貯蔵状態が例えば冷凍か冷蔵か、または空かどうかがわかるように取り付けられる。
【０００３】
以下、従来の表示装置について、図面を用いて説明する。
図９は従来の表示装置を備えた貯蔵庫である可搬式貯蔵庫（以下貯蔵庫という。）の正面図、図１０は従来の表示装置の正面図、図１１は表示装置を取り付けた状態の側面図、図１２及び図１３は表示装置の表示板表示面の変更方法の説明図である。
【０００４】
貯蔵庫１は内部に貯蔵室が形成された断熱箱体２と、この断熱箱体２の一側面に形成された開口を開閉自在に閉塞する例えば観音開き式の２枚の断熱扉３と、断熱箱体２の下面の例えば四隅に取り付けられたキャスター４とを備え、移動可能なものである。そして、一方の断熱扉３には把手３Ａが取り付けられ、他方の断熱扉３には表示装置５５が取り付けられている。
【０００５】
表示装置５５は、断熱扉３に取り付けられて上縁と断熱扉３との間に開口５６Ａを形成するほぼ矩形の保持具（以下ホルダーという）５６と、このホルダー５６に差し込まれるほぼ矩形の表示板５７とから構成されている。ホルダー５６の周縁には断熱扉３との取付部分となるフランジ５６ａが形成され、ホルダー５６の前壁５６ｂと断熱扉３との間には表示板５７の厚さよりも大きい間隔が形成されている。また、ホルダー５６の収納部下縁には複数の水抜き用の穴５８がそれぞれ水平に形成されている。
【０００６】
表示板５７の表裏両面は上下に区分され、各面の上下部には複数の貯蔵室内の状態、即ち貯蔵物の種類が例えば色分けされて表示され、表示板５７のほぼ上半分がホルダー５６内に差し込まれ、露出している上半分にて貯蔵室内の状態を表示する。また、表示板５７の左右両側部のほぼ中央には凹所である切欠き５７ａが形成されている。
【０００７】
【発明が解決しようとする課題】
上記従来の表示装置５５において、例えば貯蔵室内の状態が例えば冷凍貯蔵の状態から冷蔵貯蔵の状態に変化したとき、或いは品物の貯蔵状態から空の状態に変化したときには、表示板５７の表示を切り替える必要がある。
このとき、表示板５７をホルダー５６から必ず１度は抜き、表示板５７を図１２に示したように水平方向に回転して表裏反転したり、図１３に示したように上下方向に回転して表裏反転し、その後ホルダー５６に差し込む必要があり、表示の切り替え作業が煩雑になるという問題が発生していた。
【０００８】
また、表示板５７をホルダー５６から抜くときには、作業者は切欠き５７ａを利用して表示板５６を上方へ押し上げるが、表示板５６が断熱扉３の表面或いはホルダーに接触して抜きずらく、一層作業に手間取るという問題が発生する。
さらに、ホルダー５６の収納部下縁には複数の水抜き用の穴５８がそれぞれ水平に形成されているので、ホルダー５６内に侵入した結露等の水がスムーズに流下せずに、特に各水抜き用の穴５８間に残るという問題が発生していた。
【０００９】
【課題を解決するための手段】
本発明は上記課題を解決するために、請求項１の発明は、内部に貯蔵室が形成された断熱箱体２と、この断熱箱体の側面に設けられた表示装置５とを備えた貯蔵庫１において、表示装置５は、側面に取り付けられて側面との間に間隔を存し、一部を切り欠いた前板８を有した保持具６と、この保持具６に支持され、８角形であるとともに相対向した２組の長辺２４がこれらの長辺の間に位置して相対向した２組の短辺２５より長く形成された表示板７と、この表示板の中央に設けられ、表示板表面から突出したつまみ２６とを備え、表示板７の表面は各長辺に対応して複数に区分され、それぞれの区分には貯蔵庫内の複数の状態が表され、保持具６には、つまみ２６が突出するつまみ用切欠き２２が形成され、下部には短辺を挟んだ二つの長辺により形成される角度とほぼ同様な角度をなし各長辺を支持する長辺支持部（周壁）１３、１４が形成され、且つ保持具上部の前板には、長辺支持部が長辺を支持している状態にて表示板に表された複数の状態のうち何れか一つの状態を表示させる切欠き２０がつまみ用切欠き２２と連続して形成されている貯蔵庫を提供するものである。
【００１０】
また、請求項２の発明は、つまみ用切欠きの上部２２につまみ２６の上方への移動を阻止する係止部２２Ａが形成されている貯蔵庫を提供するものである。
【００１１】
また、請求項３の発明は、保持具６の長辺支持部の最下部には、保持具内と外部とを連通する切欠き（水抜き穴）１８が形成されている貯蔵庫を提供するものである。
【００１２】
【発明の実施の形態】
以下、本発明の貯蔵庫の一実施例を図面に基づいて詳細に説明する。尚、第９図に示した従来の貯蔵庫と同様の構成のものには、同符号を付し、その詳細な説明は省略する。
図１は貯蔵庫の正面図、図２は表示装置の正面図、図３は表示装置を取り付けた状態の側面図、図４はホルダー（保持具）の正面図、図５は表示板の正面図、図６は表示板の側面図、図７は表示板による表示切り替え方法の説明図、図８は表示板の抜き差し時のホルダーとの関係の説明図である。
【００１３】
５は貯蔵庫１の一側面である断熱扉３の外面に取り付けられた表示装置であり、この表示装置５は、ホルダー６と平板状の表示板７とから構成されている。
ホルダー６は例えばステンレス板を切断及び折曲して形成されており、前板８と、この前板８の周縁から後方へ折曲して延びた周壁である側板１１、１２、１３、１４と各側板１２、１３、１４から外側へ折曲して形成されたフランジ１５、１６、１７とから構成されている。そして、ホルダー６の右上面は側板１１によって塞がれ、右側面上部は側壁１２によって塞がれている。ホルダー６の、各フランジ１５、１６、１７は例えば複数のリベット４４によって断熱扉３に固定されている。また、前板８の下部はＶ字状をしており、隣り合った周縁の角度、即ち側板１３、１４はほぼ直角をなしている。そして、隣り合ったフランジ１６、１７の間であるホルダー最下部には前板最下部８及び側板１６、１７の最下部を切り欠いた水抜き穴１８が形成されている。
【００１４】
ホルダー６の左上部には切欠き２０が形成され、この切欠きにより表示板７の抜き差し用の開口２１及び表示部２１１が形成されている。また、前板８のほぼ中央には後述するつまみが貫通する弧状の切欠き（つまみ用切欠き）２２が切欠き２０から連続して形成されている。そして切欠き２２の上部には係止部２２Ａが形成されている。
【００１５】
表示板７は例えば樹脂、木等にて形成されており、正方形の各角を切り欠いた形状をし、厚さはホルダー６の前板８と扉３との間隔より小さい。表示板７の周縁には各切欠き部に対応した長辺２４と各長辺２４間の短辺２５とが形成されている。そして、夫々の長辺に対応して表示面が第１、第２、第３及び第４の表示面７ａ、７ｂ、７ｃ、及び７ｄの４つに等分割されている。各表示面７ａと７ｂと７ｃ及び７ｄとはそれぞれ色分けされており、例えば第１の表示面７ａは青色、第１の時計回り方向隣の第２の表示面７ｂは黄色、隣り合った第３及び第４の表示面７ｃ、７ｄは赤色に印刷或いは塗ってある。また、図２及び図５に示したように第１の表示面７ａには“チルド在中”と例えば白、黒或いは青色の補色等で記載され、第２の表示面７ｂには“チルド以外”と例えば白、黒或いは黄色の補色等で記載され、第３及び第４の表示面７ｃ、７ｄにはそれぞれ“空”と例えば白或いは赤色の補色等で記載されている。
【００１６】
表示板７の中央には、表示面から突出したつまみ２６が取り付けられている。そして、表示板７をホルダー６内に収納している状態では、このつまみ２６はホルダー７より前方に突出しているとともに、切欠き２２との間には間隔２７が形成されている。また、つまみ２６上方の前板８には、つまみ２６の中心の真上より左方向、すなわち、表示部２１１方向に突出した係止部２２Ａが形成されている。
【００１７】
さらに、表示板７は、相対向した長辺２４、２４間の寸法Ｌ１が、ホルダー６の開口幅である側壁１１の左端１１ａと側壁１４の上端１４ａとの間隔Ｌより僅かに小さく、短辺２５、２５間の寸法Ｌ２が、ホルダー６の開口幅である間隔Ｌより僅かに大きくなるように形成されている。
以下、表示装置５による貯蔵庫１内の状態表示について説明する。
【００１８】
例えば貯蔵庫１に冷凍食品を貯蔵している場合には、図２に示したように表示板７の表示面７ａが表示部２１１に位置している。そして、このとき、表示板７のうちホルダー６内に位置している下部長辺２４、２４が長辺支持部である側板１３、１４に支持され、表示面７ｂ、７ｃ、７ｄは中心部を除いて前板８に覆われている。このため、貯蔵庫１の使用者は、表示面７ａの色を見て貯蔵庫１内に冷凍食品が入っていることを知ることができる。また、表示面７ａの“チルド在中”という記載を確認することによって、確実に貯蔵庫１内の状態を知ることができる。
【００１９】
上記のように、貯蔵庫１に冷凍食品が貯蔵されている状態から貯蔵物が総て搬出されて貯蔵庫１内が空になったときには、使用者が表示装置５の表示を切り替える。以下、表示の切り替え操作について説明する。
まず、使用者は、つまみ２６を持ちつまみ２６及び表示板７を上方へ持ち上げる。表示板７を持ち上げると、表示板７の周縁とホルダー６の下部側板１３、１４との間に隙間が形成される。この隙間を利用して図７に示したようにホルダー６内で表示板７を時計方向にほぼ９０゜回転させると、左上部の表示部２１１の表示が表示面７ａから表示面７ｄに替わり、空になったことを表す赤の面が表示される。そして、つまみ２６及び表示板７を下げることにより、表示板７の周縁の相隣り合った長辺２４、２４が側板１３、１４上に支持される。
【００２０】
表示部２１１の赤の表示によって使用者は、その後も貯蔵庫１が空の状態であることを容易に確認することが可能になる。そして、表示面７ｄに記載されている“空”の記載を確認することによって一層確実に貯蔵庫１内の状態を確認することができる。また、色によって貯蔵庫１内の状態がわからなかった場合にも“空”の記載によって貯蔵庫１内の状態を知ることができる。
【００２１】
また、貯蔵庫１内の状態が例えば空の状態から貯蔵物が搬入されて例えば冷蔵物の貯蔵状態に替わったときには、使用者は表示装置５の表示を例えば表示面７ｃの“空”から表示面７ｂの“チルド以外”の表示に切り替える。このときも、上記表示の切り替えと同様に使用者がつまみ２６を持ち、つまみ２６及び表示板７を持ち上げる。表示板７を持ち上げ、表示板７の周縁とホルダー６の下部側板１３、１４との間に形成された隙間を利用して表示板７をホルダー６内で反時計方向にほぼ９０゜回転させると、左上部の表示部２１１の表示が表示面７ｂから表示面７ｃに換わり、チルド以外のものが貯蔵されていることを表す黄色の面が表示される。そして、つまみ２６及び表示板７を下げることにより、表示板７の周縁の相隣り合った長辺２４、２４が側板１３、１４上に支持される。
【００２２】
表示部２１１の黄色の表示によって使用者は、その後も貯蔵庫１にチルド以外の冷蔵物が貯蔵されている状態であることを容易に確認することが可能になる。そして、表示面７ｂに記載されている“チルド以外”の記載を確認することによって一層確実に貯蔵庫１内の状態を確認することができる。また、色によって貯蔵庫１内の状態がわからなかった場合にも“チルド以外”の記載によって貯蔵庫１内の状態を知ることができる。
【００２３】
さらに、貯蔵庫１内の貯蔵状態が、チルド以外のものの貯蔵から空の状態になったとき、チルドのものの貯蔵からチルド以外のものの貯蔵になったとき、或いは、チルド以外のものの貯蔵からチルドのものの貯蔵になったときには、使用者は、上記表示の切替時と同様につまみ２６を持ち、つまみ２６及び表示板７を持ち上げる。そして、表示板７の周縁とホルダー６の下部側板１３、１４との間に形成された隙間を利用して表示板７を図７に矢印で示したようにホルダー６内で時計方向或いは反時計方向に回転させることにより、左上部の表示部２１１の表示が切り替わり、表示部２１１に貯蔵庫１の貯蔵状態に合った表示が行われる。
【００２４】
次に、表示板７のホルダー６への出し入れについて説明する。
表示板７をホルダー６の出し入れする場合には、図８に示したように表示板７の長辺２４を下部側板１４に沿わせ、矢印にて示したように表示板７を斜め上方或いは斜め下方に平行に移動させ、開口２１から出し入れする。このとき、ホルダー６の係止部２２Ａはつまみ２６と干渉しない位置に形成されている。
【００２５】
上記実施例によれば、貯蔵庫１内の貯蔵状態が変わったときには、使用者は、つまみ２６を持ち、つまみ２６及び表示板７を持ち上げ、表示板７の周縁とホルダー６の下部側板１３、１４との間に形成された隙間を利用して表示板７を図７に矢印で示したようにホルダー６内で時計方向或いは反時計方向に回転させることにより、表示板７をホルダー６から抜き出さなくとも、左上部の切欠き２０に対応した表示部２１１の表示を切り替えることができ、表示部２１１の表示を貯蔵庫１の貯蔵状態に合った表示に容易に変更することができる。
【００２６】
また、表示板７には、各表示面７ａと７ｂと７ｃ及び７ｄとはそれぞれ色分けされており、例えば第１の表示面７ａは青色、第１の時計回り方向隣の第２の表示面７ｂは黄色、隣り合った第３及び第４の表示面７ｃ、７ｄは赤色であり、図２及び図５に示したように第１の表示面７ａには“チルド在中”と記載され、第２の表示面７ｂには“チルド以外”と記載され、第３及び第４の表示面７ｃ、７ｄにはそれぞれ“空”と記載されているので、例えば“チルド在中”と“チルド以外”との表示切り替えには表示板６をほぼ９０゜回転させるだけで表示を切り替えることができるとともに、“チルド在中”及び“チルド以外”から“空”への切り替え時にも表示板６をほぼ９０゜回転させるだけで表示を切り替えることができ、この結果、殆どの表示切り替えも表示板６をほぼ９０゜回転させるのみで、容易に行うことができる。
【００２７】
また、表示を変更した後、つまみ２６及び表示板７を下げることにより、表示板７の周縁の相隣り合った長辺２４、２４がホルダー６の下部に形成された側板１３、１４に沿って支持されるため、その後貯蔵庫１を移動させるとき等に、振動した場合にも、ホルダー６内で表示板７が横方向に摺動してずれることを極力防止でき、表示部２１１にて貯蔵庫内の状態を切欠き２０による表示部２１１を介して確実に表示することができる。さらに、切欠き２０は、つまみ用切欠き２２と連続しているため、つまみ２６が前板８に規制されることなく表示板７を斜め上方或いは斜め下方に平行に移動させることができ、切欠き２０を介して表示板７を開口２１から容易に出し入れすることができる。
【００２８】
また、つまみ２６の上方の前板８には、つまみ２６の中心の真上より左方向、すなわち、表示部２１１方向に突出した係止部２２Ａが形成されているので、貯蔵庫１が輸送車に載置され移動しているときに振動で表示板７が上に摺動しても、つまみ２６が係止部２２Ａに当たり、表示板７の上方への摺動がそれ以上規制され、表示板７がホルダー６から外れること防止することができる。
【００２９】
さらに、ホルダー６には、隣り合ったフランジ１６、１７の下端間であるホルダー最下部には前板最下部８及び側板１３、１４の最下部を切り欠いた水抜き穴１８が形成されているので、ホルダー６内に侵入した結露などの水は、側板１３、１４に案内され最下部の水抜き穴１８からホルダー６外にスムーズに流出し、ホルダー６内に水が残ることをほぼ確実に防止できる。
【００３０】
なお、本発明は上記実施の形態に限定されるものではなく、特許請求の範囲に記載された本発明の要旨内においては、種々の変更を行うことが可能である。
例えば、図７に三点鎖線にて示したように、ホルダー６をほぼ矩形に形成し、側板１２と側板１４とをほぼ平行になるように形成しても良く、このように形成した場合には、ホルダー６を一層小型化することができる。
【００３１】
また、上記実施例において、貯蔵庫１は移動可能なコールドロールボックスであったが、例えば設置されているプレハブ冷蔵庫、プレハブ冷凍庫、保冷ボックス等の内部の状態が外から確認できない貯蔵庫に上記表示装置５を取り付けてもよい。
【００３２】
【発明の効果】
本発明は上記実施例のように構成された貯蔵庫であり、請求項１の発明によれば、表示板７の表面は、各長辺に対応して複数の表示面に区分され、各表示面にはそれぞれ貯蔵庫の状態が表され、使用者はつまみを掴み、上方へ移動させることにより、表示板周縁の長辺はホルダーの側板である長辺支持部から離れ、表示板とホルダーとの間には、表示板の回転に必要な空間が形成され、その状態で表示板を少なくとも９０゜回転させるだけで容易に表示を切り替えることができる。
【００３３】
また、表示を変更した後、つまみ及び表示板を下げることにより、表示板の周縁の相隣り合った長辺がホルダーの下部の側板（長辺支持部）に沿って支持されるため、その後貯蔵庫を移動させるとき等に、貯蔵庫が振動した場合にも、ホルダー内で表示板が摺動することを極力防止でき、切欠きを介して貯蔵庫内の状態を確実に表示することができる。さらに、切欠きは、つまみ用切欠きと連続しているため、つまみが前板に規制されることなく表示板を斜め上方或いは斜め下方に平行に移動させることができ、切欠きを介して容易に出し入れすることができる。
【００３４】
また、請求項２の発明によれば、貯蔵庫の移動中等に振動で表示板が上に摺動しても、つまみがホルダーの係止部に当たり、表示板の上方への摺動がそれ以上規制され、表示板がホルダーから外れること防止することができる。
【００３５】
さらに、請求項３の発明によれば、ホルダー内に侵入した結露などの水は、下部の側板に案内されホルダー最下部の水抜き穴（切欠き）からホルダー外にスムーズに流出し、ホルダー内に水が残ることをほぼ確実に防止できる。
【図面の簡単な説明】
【図１】本願発明の実施例を示す貯蔵庫の正面図である。
【図２】本願発明の実施例を示す表示装置の概略構成図である。
【図３】本願発明の実施例を示す表示装置を取り付けた状態の側面図である。
【図４】本願発明の実施例を示す保持具の正面図である。
【図５】本願発明の実施例を示す表示板の上面図である。
【図６】本願発明の実施例を示す表示板の側面図である。
【図７】本願発明の実施例を示す表示板による表示切り替え方法の説明図である。
【図８】本願発明の実施例を示す表示板の抜き差し時のホルダーとの関係の説明図である。
【図９】従来の表示装置を備えた貯蔵庫である可搬式貯蔵庫の正面図である。
【図１０】従来の表示装置の正面図である。
【図１１】従来の表示装置を取り付けた状態の側面図である。
【図１２】従来の表示装置の表示板表示面の変更方法の説明図である。
【図１３】従来の表示装置の表示板表示面の変更方法の説明図である。
【符号の説明】
１        貯蔵庫
２        断熱箱体
３      断熱扉
６      ホルダー（保持具）
７        表示板
７ａ、７ｂ、７ｃ、７ｄ  表示面
８      前板
１１、１２、１３、１４  側板（周壁）
１８    水抜き穴（切欠き）
２０    切欠き
２１    開口
２１１    表示部
２２      切欠き（つまみ用切欠き）
２２Ａ    係止部
２４    長辺
２５    短辺
２６    つまみ
２７    間隔
【図１】
0003634532.tif 000002
【図２】
0003634532.tif 000003
【図３】
0003634532.tif 000004
【図４】
0003634532.tif 000005
【図５】
0003634532.tif 000006
【図６】
0003634532.tif 000007
【図７】
0003634532.tif 000008
【図８】
0003634532.tif 000009
【図９】
0003634532.tif 000010
【図１０】
0003634532.tif 000011
【図１１】
0003634532.tif 000012
【図１２】
0003634532.tif 000013
【図１３】
0003634532.tif 000014